【手続補正書】
【提出日】平成17年7月29日(2005.7.29)
【手続補正１】
【補正対象書類名】明細書
【補正対象項目名】発明の名称
【補正方法】変更
【補正の内容】
【発明の名称】表示装置並びにゲート信号線側駆動回路及びソース信号線側駆動回路
【手続補正２】
【補正対象書類名】明細書
【補正対象項目名】特許請求の範囲
【補正方法】変更
【補正の内容】
【特許請求の範囲】
【請求項１】
画素領域と、
ソース信号線に信号を出力するためのソース信号線側駆動回路と、
ゲート信号線に信号を出力するためのゲート信号線側駆動回路と、が設けられており、
前記ゲート信号線側駆動回路は、
シフトレジスタ回路と、
前記シフトレジスタ回路に入力されるクロック信号の電圧振幅レベルを上げる第１のレベルシフタ回路と、
前記ゲート信号線に出力する信号の電圧振幅レベルを上げる第２のレベルシフタ回路と、
を有することを特徴とする表示装置。
【請求項２】
画素領域と、
ソース信号線に信号を出力するためのソース信号線側駆動回路と、
ゲート信号線に信号を出力するためのゲート信号線側駆動回路と、が設けられており、
前記ゲート信号線側駆動回路は、
シフトレジスタ回路と、
前記シフトレジスタ回路に入力されるクロック信号の電圧振幅レベルを上げる第１のレベルシフタ回路と、
前記ゲート信号線に信号を出力するバッファ回路と、
前記バッファ回路に入力される信号の電圧振幅レベルを上げる第２のレベルシフタ回路と、
を有することを特徴とする表示装置。
【請求項３】
画素領域と、
ソース信号線に信号を出力するためのソース信号線側駆動回路と、
ゲート信号線に信号を出力するためのゲート信号線側駆動回路と、が設けられており、
前記ゲート信号線側駆動回路は、
第１の信号の電圧振幅レベルを上げた第２の信号を生成する第１のレベルシフタ回路と、
前記第２の信号をもとに、第３の信号を生成するシフトレジスタ回路と、
前記第３の信号をもとに、第４の信号を生成する第２のレベルシフタ回路と、を有し、
前記第４の信号の電圧振幅レベルは、前記第３の信号の電圧振幅レベルより大きいことを特徴とする表示装置。
【請求項４】
画素領域と、
ソース信号線に信号を出力するためのソース信号線側駆動回路と、
ゲート信号線に信号を出力するためのゲート信号線側駆動回路と、が設けられており、
前記ゲート信号線側駆動回路は、
第１の信号の電圧振幅レベルを上げた第２の信号を生成する第１のレベルシフタ回路と、
前記第２の信号をもとに、第３の信号を生成するシフトレジスタ回路と、
前記第３の信号をもとに、第４の信号を生成する第２のレベルシフタ回路と、
前記第４の信号が入力されるバッファ回路と、を有し、
前記第４の信号の電圧振幅レベルは、前記第３の信号の電圧振幅レベルより大きいことを特徴とする表示装置。
【請求項５】
請求項２または４において、前記バッファ回路は、前記ゲート信号線に選択信号を供給するものであることを特徴とする表示装置。
【請求項６】
請求項３または４において、前記第３の信号及び前記第４の信号は、選択信号であることを特徴とする表示装置。
【請求項７】
画素領域と、
ソース信号線に信号を出力するためのソース信号線側駆動回路と、
ゲート信号線に信号を出力するためのゲート信号線側駆動回路と、が設けられており、
前記ソース信号線側駆動回路は、
シフトレジスタ回路と、
前記シフトレジスタ回路に入力されるクロック信号の電圧振幅レベルを上げる第１のレベルシフタ回路と、
画像信号をサンプリングするサンプリング回路と、
前記サンプリング回路に入力される信号の電圧振幅レベルを上げる第２のレベルシフタ回路と、
を有することを特徴とする表示装置。
【請求項８】
請求項７において、前記サンプリング回路は、前記ソース信号線に前記画像信号を供給するものであることを特徴とする表示装置。
【請求項９】
画素領域と、
ソース信号線に信号を出力するためのソース信号線側駆動回路と、
ゲート信号線に信号を出力するためのゲート信号線側駆動回路と、が設けられており、
前記ソース信号線側駆動回路は、
第１の信号の電圧振幅レベルを上げた第２の信号を生成する第１のレベルシフタ回路と、
前記第２の信号をもとに、第３の信号を生成するシフトレジスタ回路と、
前記第３の信号をもとに、第４の信号を生成する第２のレベルシフタ回路と、
前記第４の信号により画像信号をサンプリングするサンプリング回路と、を有し、
前記第４の信号の電圧振幅レベルは、前記第３の信号の電圧振幅レベルより大きいことを特徴とする表示装置。
【請求項１０】
請求項９において、前記第３の信号及び前記第４の信号は、タイミング信号であることを特徴とする表示装置。
【請求項１１】
請求項１乃至１０のいずれか一項において、前記画素領域、前記ソース信号線側駆動回路、及び前記ゲート信号線側駆動回路は、同一基板上に形成されていることを特徴とする表示装置。
【請求項１２】
ゲート信号線に信号を出力するためのゲート信号線側駆動回路であって、
シフトレジスタ回路と、
前記シフトレジスタ回路に入力されるクロック信号の電圧振幅レベルを上げる第１のレベルシフタ回路と、
ゲート信号線に出力する信号の電圧振幅レベルを上げる第２のレベルシフタ回路と、
を有することを特徴とするゲート信号線側駆動回路。
【請求項１３】
ゲート信号線に信号を出力するためのゲート信号線側駆動回路であって、
シフトレジスタ回路と、
前記シフトレジスタ回路に入力されるクロック信号の電圧振幅レベルを上げる第１のレベルシフタ回路と、
前記ゲート信号線に信号を出力するバッファ回路と、
前記バッファ回路に入力される信号の電圧振幅レベルを上げる第２のレベルシフタ回路と、
を有することを特徴とするゲート信号線側駆動回路。
【請求項１４】
第１の信号の電圧振幅レベルを上げた第２の信号を生成する第１のレベルシフタ回路と、
前記第２の信号をもとに、第３の信号を生成するシフトレジスタ回路と、
前記第３の信号をもとに、第４の信号を生成する第２のレベルシフタ回路と、を有し、
前記第４の信号の電圧振幅レベルは、前記第３の信号の電圧振幅レベルより大きいことを特徴とするゲート信号線側駆動回路。
【請求項１５】
第１の信号の電圧振幅レベルを上げた第２の信号を生成する第１のレベルシフタ回路と、
前記第２の信号をもとに、第３の信号を生成するシフトレジスタ回路と、
前記第３の信号をもとに、第４の信号を生成する第２のレベルシフタ回路と、
前記第４の信号が入力されるバッファ回路と、を有し、
前記第４の信号の電圧振幅レベルは、前記第３の信号の電圧振幅レベルより大きいことを特徴とするゲート信号線側駆動回路。
【請求項１６】
請求項１３または１５において、前記バッファ回路は、前記バッファ回路に接続されたゲート信号線に選択信号を供給するものであることを特徴とするゲート信号線側駆動回路。
【請求項１７】
請求項１４または１５において、前記第３の信号及び前記第４の信号は、選択信号であることを特徴とするゲート信号線側駆動回路。
【請求項１８】
ソース信号線に信号を出力するためのソース信号線側駆動回路であって、
シフトレジスタ回路と、
前記シフトレジスタ回路に入力されるクロック信号の電圧振幅レベルを上げる第１のレベルシフタ回路と、
画像信号をサンプリングするサンプリング回路と、
前記サンプリング回路に入力される信号の電圧振幅レベルを上げる第２のレベルシフタ回路と、
を有することを特徴とするソース信号線側駆動回路。
【請求項１９】
請求項１８において、前記サンプリング回路は、前記ソース信号線に前記画像信号を供給するものであることを特徴とするソース信号線側駆動回路。
【請求項２０】
第１の信号の電圧振幅レベルを上げた第２の信号を生成する第１のレベルシフタ回路と、
前記第２の信号をもとに、第３の信号を生成するシフトレジスタ回路と、
前記第３の信号をもとに、第４の信号を生成する第２のレベルシフタ回路と、
前記第４の信号により画像信号をサンプリングするサンプリング回路と、を有し、
前記第４の信号の電圧振幅レベルは、前記第３の信号の電圧振幅レベルより大きいことを特徴とするソース信号線側駆動回路。
【請求項２１】
請求項２０において、前記第３の信号及び前記第４の信号は、タイミング信号であることを特徴とするソース信号線側駆動回路。